(57)【特許請求の範囲】
【請求項１】
複数の外部機器とネットワーク接続可能な接続手段と、
前記接続手段を介して接続された前記外部機器から前記外部機器を示す機器種別情報と、前記外部機器が相互制御可能な規格に対応している場合、前記相互制御可能な規格に対応していることを示す規格対応情報を受信する受信手段と、
前記複数の外部機器ごとに前記機器種別情報と前記規格対応情報の有無とが対応付けられた一覧情報および前記複数の外部機器のうち任意の外部機器が出力する映像情報を表示する表示手段と、
前記表示手段に表示する映像情報の出力元として、前記表示手段に表示された前記一覧情報から前記接続手段に接続されている前記複数の外部機器から前記任意の外部機器を選択可能にする選択手段と、
を有することを特徴とする映像表示装置。
【請求項２】
複数の外部機器とネットワーク接続可能な接続手段と、
前記接続手段を介して接続された前記複数の外部機器から、これら外部機器の機種を特定する機器種別情報と、前記外部機器が相互制御可能な規格に対応している場合、前記複数の外部機器のうち前記相互制御可能な規格に対応している前記外部機器から規格対応情報とを受信する受信手段と、
前記複数の外部機器ごとに前記機器種別情報と前記規格対応情報の有無とが対応付けられた一覧情報を表示するとともに前記一覧情報で選択された任意の外部機器が出力する映像情報を表示する表示手段と、
を有することを特徴とする映像表示装置。
【請求項３】
複数の外部機器とネットワーク接続可能な接続手段と、
前記接続手段を介して接続された前記外部機器から、前記外部機器を示す機器種別情報と、前記外部機器が相互制御可能な規格に対応している場合、前記相互制御可能な規格に対応していることを示す規格対応情報を受信する受信手段と、
前記複数の外部機器について前記機器種別情報と前記規格対応情報の有無とが対応付けられ、映像情報の出力元として前記複数の外部機器から任意の外部機器を選択可能とする一覧情報を記録する記録手段と、
前記一覧情報および選択された前記任意の外部機器が出力する前記映像情報を表示手段に出力する映像出力手段と、
を有することを特徴とする映像表示装置。
【請求項４】
複数の外部機器とネットワーク接続可能な接続手段と、
前記接続手段を介して接続された前記外部機器から、前記外部機器を示す機器種別情報と、前記外部機器が相互制御可能な規格に対応している場合、前記相互制御可能な規格に対応していることを示す規格対応情報を受信する受信手段と、
前記複数の外部機器について前記機器種別情報と前記規格対応情報の有無とが対応付けられた一覧情報および前記複数の外部機器のうち前記一覧情報で選択された任意の外部機器が出力する映像情報を表示する表示手段と、
前記一覧情報で選択された前記任意の外部機器から入力された映像情報と前記任意の外部機器における前記規格対応情報の有無を示す情報とを合成して前記表示手段に表示制御する制御手段と、
を有することを特徴とする映像表示装置。
【請求項５】
前記入力された映像情報は、前記外部機器から出力された映像情報であることを特徴とする請求項４記載の映像表示装置。
【請求項６】
前記規格対応情報に基づく情報は、前記表示手段の任意の位置に表示されることを特徴とする請求項４記載の映像表示装置。
【請求項７】
複数の外部機器とネットワーク接続可能な接続手段と、
前記接続手段を介して接続された前記外部機器から前記外部機器を示す機器種別情報と、前記外部機器が相互制御可能な規格に対応している場合、前記相互制御可能な規格に対応していることを示す規格対応情報を受信する受信手段と、
前記複数の外部機器について前記機器種別情報と前記規格対応情報の有無とが対応付けられ、映像情報の出力元として前記複数の外部機器から任意の外部機器を選択可能とする一覧情報および前記一覧情報から選択された前記任意の外部機器が出力する前記映像情報を表示する第１の表示領域と、前記一覧情報から選択された前記任意の外部機器における前記規格対応情報の有無を示す情報を表示する第２の表示領域とを有する表示手段と、
を有することを特徴とする映像表示装置。
【請求項８】
複数の外部機器とネットワーク接続可能な接続手段と、
前記接続手段を介して接続された前記外部機器から、相互制御可能な規格に対応していることを示す規格対応情報を受信する受信手段と、
前記規格対応情報から、複数段階に分けられたバージョン番号である対応度合いに応じた情報を表示する表示手段と、
を有することを特徴とする映像表示装置。
【請求項９】
前記表示手段は、前記外部機器の対応度合いが映像表示装置自体の対応度合いよりも高い場合、前記外部機器に対して前記映像表示装置自体の対応度合いに応じた情報を表示することを特徴とする請求項８記載の映像表示装置。
【請求項１０】
前記表示手段は、前記バージョン番号ごとに対応可能な機能一覧を表示することを特徴とする請求項９記載の映像表示装置。
【発明の詳細な説明】
【技術分野】
【０００１】
本発明は、接続された機器に対して連動操作可能か否かを識別する映像表示装置に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。これらを受信するテレビジョン受像機は、ＰＣ、モバイル機器、ＡＶ機器等がネットワークを介して接続されている。また、テレビジョン受像機とＨＤＭＩ（high definition multimedia interface）端子を介して接続されたＣＥＣ（consumer electronics control）対応の外部機器は、リモコン等でテレビジョン受像機に対して操作することでも連動して動作する。
【０００３】
特許文献１には、ＨＤＭＩコネクタを介して受信されたデジタル信号に基づく映像信号を選択した場合、受信されたデジタル信号に含まれている表示関連情報を抽出し、この表示関連情報に応答して、ディスプレイの表示モードを自動設定する構成が開示されている。
【０００４】
また、特許文献２には、複数の機器を接続した場合にＨＤＭＩケーブルのＣＥＣラインを用いて接続された機器とどこまで相互制御できるのかを表示する送受信装置の構成について開示されている。
【特許文献１】特開２００６−１０８７５０号公報
【特許文献２】特開２００８−４８１３６号公報
【発明の開示】
【発明が解決しようとする課題】
【０００５】
しかしながら、特許文献１には、ＨＤＭＩ規格による信号の送受信をする表示装置と外部機器との間で、表示装置が外部機器の機器情報を取得する構成は開示されているが、表示装置に外部機器に対する操作をすることで、外部機器に対して連動操作できるか否かをユーザに適切に知らせる構成は開示されていない。
【０００６】
また、特許文献２には、送受信装置自体と接続された機器におけるＣＥＣ対応機能を表示しているが、ＣＥＣ対応機能の項目が多くなるにつれ、表示が煩雑になる。
【０００７】
本発明は、上記事情を鑑みてなされたものであって、目的とするところは、接続された外部機器に対して連動操作可能かどうかを判別することができる映像表示装置を提供することにある。
【課題を解決するための手段】
【０００８】
上記課題を解決し目的を達成するために、本発明の映像表示装置は、複数の外部機器とネットワーク接続可能な接続手段と、前記接続手段を介して接続された前記外部機器から相互制御可能な規格に対応していることを示す規格対応情報を受信する受信手段と、前記外部機器が出力する映像情報を表示する表示手段と、前記表示手段に表示する映像情報の出力元として、前記接続手段に接続されている前記複数の外部機器から任意の外部機器を選択可能にするとともに、受信した前記規格対応情報に基づく情報とを対応付けて選択可能にする選択手段とを有する。
【０００９】
また、本発明の映像表示装置は、複数の外部機器とネットワーク接続可能な接続手段と、前記接続手段を介して接続された前記外部機器から、相互制御可能な規格に対応していることを示す規格対応情報を受信する受信手段と、前記規格対応情報から対応度合いに応じた情報を表示する表示手段とを有する。
【発明の効果】
【００１０】
本発明によれば、接続された外部機器に対して連動操作可能か否か、また連動操作可能度合いを容易に判別することができる。
【発明を実施するための最良の形態】
【００１１】
以下、この発明の一実施形態について図面を参照して詳細に説明する。図１は、この実施形態で説明する情報通信端末１１の外観と、この情報通信端末１１を中心として構成されるネットワークシステムの一例を概略的に示している。
【００１２】
すなわち、情報通信端末１１（例えばデジタルテレビジョン受像機）は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、この情報通信端末１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１４】
さらに、この情報通信端末１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１５】
また、この情報通信端末１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００１６】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１７】
また、ＬＡＮ端子２２は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ等の機器を接続し、これらの機器と情報伝送を行なうために使用される。
【００１８】
第１のＨＤＭＩ端子２２は、ＡＶアンプ２７を介して、ＤＶＤレコーダ２８およびＤＶＤプレーヤ２９の外部機器が接続されている。
【００１９】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器と情報伝送するものである。
【００２０】
さらに、この第２のＨＤＭＩ端子２３は、ハブ３０に接続されたブロードバンドルータ３５を介して、例えばインターネット等のネットワーク３２に接続し、そのネットワーク３６を介してＰＣ３７や携帯電話３８等と情報伝送を行なうために使用される。
【００２１】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２２】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２４】
そして、このチューナ４９で選局された放送信号は、ＰＳＫ（phase shift keying）復調器５０に供給されて、デジタルの映像信号及び音声信号に復調された後、信号処理部５１に出力される。
【００２５】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２６】
そして、このチューナ５４で選局された放送信号は、ＯＦＤＭ（orthogonal frequency division multiplexing）復調器５５に供給されて、デジタルの映像信号及び音声信号に復調された後、上記信号処理部５１に出力される。
【００２７】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、上記信号処理部５１に出力される。
【００２８】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２９】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００３０】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００３１】
このうち、グラフィック処理部５８は、信号処理部５１から供給されるデジタルの映像信号に、ＯＳＤ（on screen display）信号生成部５１で生成されるＯＳＤ信号を重畳して出力する機能を有する。このグラフィック処理部５８は、信号処理部５１の出力映像信号と、ＯＳＤ信号生成部５１の出力ＯＳＤ信号とを選択的に出力すること、また、両出力をそれぞれ画面の半分を構成するように組み合わせて出力することができる。
【００３２】
そして、グラフィック処理部５８から出力されたデジタルの映像信号は、映像処理部６２に供給される。この映像処理部６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３３】
また、上記音声処理部５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３４】
ここで、この情報通信端末１１は、上記した各種の受信動作を含むその全ての動作を制御部６５によって統括的に制御されている。この制御部６５は、ＣＰＵ（central processing unit）等を内蔵しており、前記操作部１６からの操作情報、または、前記リモートコントローラ１７から送出され受光部１８を介して受信した操作情報を受けて、その操作内容が反映されるように各部をそれぞれ制御している。
【００３５】
この場合、制御部６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３６】
また、この制御部６５は、カードＩ／Ｆ（interface）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００３７】
また、上記制御部６５は、通信Ｉ／Ｆ７３を介してＬＡＮ端子２１と接続されている。これにより、制御部６５は、ＬＡＮ端子２１に接続されたＬＡＮ対応のＨＤＤ２６と、通信Ｉ／Ｆ７３を介して情報伝送を行なうことができる。この場合、制御部６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３８】
さらに、上記制御部６５は、第１のＨＤＭＩ Ｉ／Ｆ７４を介して第１のＨＤＭＩ端子２２と接続されている。これにより、制御部６５は、第１のＨＤＭＩ端子２２に接続された各機器（図１参照）と、第１のＨＤＭＩ Ｉ／Ｆ７４を介して情報伝送を行なうことができる。また、上記制御部６５は、第２のＨＤＭＩ Ｉ／Ｆ７５を介して第２のＨＤＭＩ端子２３と接続されている。これにより、制御部６５は、第２のＨＤＭＩ端子２３に接続された各機器（図１参照）と、第２のＨＤＭＩ Ｉ／Ｆ７５を介して情報伝送を行なうことができる。
【００３９】
そして、上記制御部６５は、ＵＳＢ Ｉ／Ｆ７６を介して前記ＵＳＢ端子２４と接続されている。これにより、制御部６５は、ＵＳＢ端子２４に接続された各機器（図１参照）と、ＵＳＢ Ｉ／Ｆ７６を介して情報伝送を行なうことができる。
【００４０】
さらに、上記制御部６５は、ｉ．ＬＩＮＫ Ｉ／Ｆ７７を介してｉ．ＬＩＮＫ端子２５と接続されている。これにより、制御部６１は、ｉ．ＬＩＮＫ端子２５に接続された各機器（図１参照）と、ｉ．ＬＩＮＫ Ｉ／Ｆ７７を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４２】
次に、第１の実施形態として図４に示すフローチャートを用いて、情報通信端末１１に外部機器が接続された場合、外部機器に対して情報通信端末１１にリモートコントローラ１７を用いた連動操作が可能か否かの判定について説明する。ここでは、第１のＨＤＭＩ端子２２および第２のＨＤＭＩ端子２３に接続されている外部機器について説明する。
【００４３】
図１に示すように、情報通信端末１１の第１のＨＤＭＩ端子２２および第２のＨＤＭＩ端子２３に複数の外部機器が接続された状態で、制御部６１は、操作部１６またはリモートコントローラ１７による電源キー１７ａの操作を検知すると、情報通信端末１１の各部を起動状態とする。
【００４４】
制御部６５は、ＨＤＭＩ端子２２および第２のＨＤＭＩ端子２３に接続されている外部機器を特定する（ステップＳ１０１）。
【００４５】
制御部６５は、第１のＨＤＭＩ端子２２および第２のＨＤＭＩ端子２３に接続された外部機器に対してコマンドを送信し、そのコマンドに対する応答信号の有無によって情報通信端末１１に接続されている外部機器を特定する。
【００４６】
このとき、外部機器は、所定のタイミングで論理アドレスを含む信号を情報通信端末１１に対して送信する。論理アドレスは、０から１５の番号で定義されている。０から１５の番号のうち、１つはテレビジョン受像機、３つはレコーダ、３つはプレーヤ、１つはＡＶアンプ、６つはチューナ、残りはその他の機器として異なる番号が機器種別ごとに設定されている。外部機器は、これらの番号から、それぞれの機器に対応する番号を取得し、情報通信端末１１に対して送信する。
【００４７】
情報通信端末１１は、外部機器から送信された論理アドレスを含む信号を受信すると、制御部６１は、不揮発性メモリ６２に記録されている論理アドレスと機器種別との対応関係情報から、信号を送信した外部機器の機器種別を判断する。０から１５で定義された論理アドレス以外に、各社オリジナルで設定されたベンダーコマンドを用いることもできる。この場合、外部機器が、それぞれの機器に対応するベンダーコマンドを情報通信端末１１に対して送信する。情報通信端末１１が、ベンダーコマンドを受信した場合、制御部６５は、不揮発性メモリ６８に記録されている各ベンダーコマンドと機器種別との対応関係情報から、信号を送信した外部機器の機器種別を判断する。機器種別は、各ベンダーコマンドに応じて、ＸＸＸ（社名）レコーダやＸＸＸ（社名）プレーヤと定義されている。
【００４８】
また制御部６５は、第１のＨＤＭＩ端子２２および第２のＨＤＭＩ端子２３に接続されている外部機器の接続関係を特定するために、外部機器に対して機器番号を定義している。
【００４９】
制御部６５が第１のＨＤＭＩ端子２２および第２のＨＤＭＩ端子２３に接続された外部機器の有無を特定するために送信したコマンドに対する応答信号を第１のＨＤＭＩ Ｉ／Ｆ７４を介して受信した場合、制御部６５は、第１のＨＤＭＩ端子２２に接続された外部機器については１番と定義する。同様に、第２のＨＤＭＩ Ｉ／Ｆ７５を介して受信した場合、制御部６５は、第２のＨＤＭＩ端子２３に接続された外部機器については２番と機器番号を定義する。
【００５０】
そして、制御部６５は、接続された外部機器から送られてくる機器種別等と、機器番号とを対応づけて不揮発性メモリ６８に記録する。
【００５１】
例えば、図１に示すように第１のＨＤＭＩ端子２２に複数の機器が直列的に接続され、第１のＨＤＭＩ Ｉ／Ｆ７４を介して複数の応答信号を受信した場合および図１に示すように第２のＨＤＭＩ端子２３にハブ３０を介して並列的に接続され、第１のＨＤＭＩ Ｉ／Ｆ７４を介して複数の応答信号を受信した場合、制御部６５は機器番号を以下のように設定する。
【００５２】
第１のＨＤＭＩ端子２２には、ＡＶアンプ２７が接続されている。そして、ＡＶアンプ２７には、ＡＶアンプ２７に設けられた入力用ＨＤＭＩ端子にそれぞれＨＤＭＩ端子を有するＤＶＤレコーダ２８、ＤＶＤプレーヤ２９が接続されている。
【００５３】
制御部６５は、第１のＨＤＭＩ端子２２に接続された全ての機器について、１−Ｘ（Ｘは任意に設定）と機器番号を設定する。
【００５４】
例えば、制御部６５は、ＡＶアンプ２７は１−１、ＤＶＤレコーダ２８は１−２、ＤＶＤプレーヤ２９は１−３と設定する。そして、制御部６５は、ＡＶアンプ２７から送信される信号に含まれる情報は、機器番号１−１と対応付けて不揮発性メモリ６８に記録する。同様に、制御部６５は、ＤＶＤレコーダ２８から送信される信号に含まれる情報は、機器番号１−２と対応付けて、ＤＶＤプレーヤ２９から送信される信号に含まれる情報は、機器番号１−３と対応付けて、不揮発性メモリ６８に記録する。
【００５５】
また制御部６８は、第２のＨＤＭＩ端子２３に接続された全ての機器について、２−Ｘ（Ｘは任意に設定）と機器番号を設定する。例えば、ＡＶアンプ３１は２−１、ＰＣ３２は２−２、ＤＶＤレコーダ３３は２−３、ＤＶＤプレーヤ３４は２−４と設定する。そして、制御部６５は、ＡＶアンプ３１から送信される信号に含まれる情報は、機器番号２−１と対応付けて不揮発性メモリ６８に記録する。同様に、制御部６５は、ＰＣ３２から送信される信号に含まれる情報は、機器番号２−２と対応付けて、ＤＶＤレコーダ３３から送信される信号に含まれる情報は、機器番号２−３と対応付けて、ＤＶＤプレーヤ３４から送信される信号に含まれる情報は、機器番号２−４と対応付けて、不揮発性メモリ６８に記録する。また、各外部機器は、情報通信端末１１に対して、各々の型名情報も送信する。制御部６５は、不揮発性メモリ６８に、任意に設定した機器番号、機器種別、型名を対応付けて記録する。
【００５６】
次に、制御部６５は、ＨＤＭＩ端子２２および第２のＨＤＭＩ端子２３に接続されている外部機器に対して、ＣＥＣ対応か非対応かの返信を要求する信号を送信する（ステップＳ１０３）。
【００５７】
外部機器がＣＥＣ対応であれば、ＨＤＭＩ−ＣＥＣコマンドを利用して、情報通信端末１１に対してユーザがリモートコントローラ１７で操作することで、ＣＥＣ対応の外部機器を連動操作することができる。
【００５８】
そして、制御部６５は、ＨＤＭＩ端子２２および第２のＨＤＭＩ端子２３に接続されている外部機器から返信された信号を基にして、それぞれの外部機器がＣＥＣ対応か非対応かを判断する。そして、制御部６５は、任意に設定した機器番号、機器種別、型名、ＣＥＣ対応か否か（ＨＤＭＩ連動か否か）を対応付けたＨＤＭＩ情報を全ての外部機器についての情報であるＨＤＭＩ入力一覧情報を不揮発性メモリ６８に記録する（ステップＳ１０４）。
【００５９】
ここで、第２のＨＤＭＩ端子２３にハブ３０を介して接続されているＡＶアンプ３１はＣＥＣ非対応、ＰＣ３２はＣＥＣ対応、ＤＶＤレコーダ３３はＣＥＣ対応、ＤＶＤプレーヤ３４はＣＥＣ非対応とする。
【００６０】
そのため、不揮発性メモリ６８は、例えば、ＡＶアンプ３１については、機器番号を２−１、機器種別をＡＶアンプ、型名をＤＴＸ−５．８、ＣＥＣ非対応なので、ＨＤＭＩ連動はなしとして記録する。ＰＣ３２については、機器番号を２−２、機器種別をＸＸＸ（社名）ＰＣ、型名をａｂｃｄ−ｅ１０、ＣＥＣ対応なので、ＨＤＭＩ連動はありとして記録する。同様に、情報通信端末１１にＨＤＭＩ接続されている全ての外部機器についてＨＤＭＩ入力一覧情報を表示する。ＤＶＤレコーダ３３については、機器番号を２−３、機器種別をＸＸＸ（社名）レコーダ、型名をＲＤ−Ａ６００、ＣＥＣ対応なので、ＨＤＭＩ連動はありとして記録する。ＤＶＤプレーヤ３４については、機器番号を２−４、機器種別をＸＸＸ（社名）プレーヤ、型名をＨＤ−Ａ２、ＣＥＣ非対応なので、ＨＤＭＩ連動はなしとして記録する。
【００６１】
制御部６５は、リモートコントローラ１７による所定の操作を検知すると、映像表示器１４に図５に示すようなＨＤＭＩ入力一覧情報を不揮発性メモリ６８から読み出して表示することができる。
【００６２】
ＨＤＭＩ入力一覧情報は、（機器番号、機器種別、型名、ＨＤＭＩ連動の可否）の順で、（２−１、ＡＶアンプ、ＤＴＸ−５．８、ＨＤＭＩ連動）、（２−２、ＸＸＸ（社名）ＰＣ、ａｂｃｄ−ｅ１０、ＨＤＭＩ連動）、（２−３、ＸＸＸ（社名）レコーダ、ＲＤ−Ａ６００、ＨＤＭＩ連動）、（２−４、ＸＸＸ（社名）プレーヤ、ＨＤ−Ａ２）と表示される。ＨＤＭＩ連動の可能の場合は、ＨＤＭＩ連動と文字表示し、ＨＤＭＩ連動が不可の場合は、ＨＤＭＩ連動と文字表示しない。
【００６３】
ユーザは、ＨＤＭＩ入力一覧情報の表示画面上で、リモートコントローラ１７のカーソルキー１７ｆを用いて、入力信号を映像表示器１４に表示したい所望の外部機器を選択することができる。制御部６５は、入力一覧情報の表示画面上で、ユーザが所望の外部機器のＨＤＭＩ情報をリモートコントローラ１７の決定キー１７ｇによる入力を検知したとき、映像表示器１４の表示画面を選択された外部機器の入力信号を表示し、対応する外部機器のＨＤＭＩ情報も不揮発性メモリ６８から取得して表示する。
【００６４】
ここで、ユーザが、例えば、ＤＶＤレコーダ３３が出力する映像情報を映像表示器１４で表示するように、ＨＤＭＩ入力一覧情報から機器番号が２−３の欄を選択すると、制御部６５は、ＤＶＤレコーダ３３から送信される映像情報を映像表示器１４に表示制御すると共に、映像表示器１４の任意の位置（例えば、図５に示すように右上端）にＤＶＤレコーダ３３についてのＨＤＭＩ情報を表示する。
【００６５】
このとき、図５に示すように、制御部６５は、不揮発性メモリ６８に記録されているＨＤＭＩ入力一覧情報のうち、ＤＶＤレコーダ３３についてのＨＤＭＩ情報として、機器番号を２−３、機器種別をＸＸＸ（社名）レコーダ、型名をＲＤ−Ａ６００、ＨＤＭＩ連動を視認できるように映像表示器１４に表示する。
【００６６】
ユーザは、映像表示器１４に表示されたＤＶＤレコーダ３３についてのＨＤＭＩ情報を視認することで、ＤＶＤレコーダ３３が情報通信端末１１に連動して動作するかどうかを容易に判断することができる。つまり、ユーザは、ＤＶＤレコーダ３３に対する再生等の制御を、情報通信端末１１にリモートコントローラ１７で連動操作できることをすぐに見分けられる。
【００６７】
ＨＤＭＩ入力一覧情報は、機器種別を表示しているため、ユーザは、情報通信端末１１に外部機器として何が接続されているのかを容易に視認することができる。そして、外部機器の機器種別と対応付けてＨＤＭＩ連動操作が可能かどうか表示されているため、所望の外部機器に対する操作を情報通信端末１１にリモートコントローラ１７で連動操作できるのか、外部機器に対して直接操作しなければいけないのかを容易に見分けることができる。
【００６８】
ＣＥＣ非対応（映像表示器１４にＨＤＭＩ連動の欄が非表示）の外部機器は、情報通信端末１１に対してリモートコントローラ１７で操作しても動作しないので、ユーザは、誤った操作をすることがなくなり、利便性がよくなる。
【００６９】
上記制御部６５による処理は、第１のＨＤＭＩ端子２２および第２のＨＤＭＩ端子２３以外のＬＡＮ端子２１、ＵＳＢ端子２４、ｉ．ＬＩＮＫ端子２５に接続された機器に対しても、ＣＥＣと同様の機能を有するものに対して同様である。
【００７０】
次に、第２の実施形態について説明する。上記第１の実施形態では、制御部６５は、ＨＤＭＩ端子２２および第２のＨＤＭＩ端子２３に接続されている外部機器に対して、それぞれの外部機器がＣＥＣ対応か非対応か(ＨＤＭＩ連動か否か)を判断した。ここでは、制御部６５は、それぞれの外部機器対して当該情報通信端末１１がどの程度ＨＤＭＩ連動可能なのかを示す情報（連動機能バージョン情報）を送信する。また制御部６５は、それぞれの外部機器から連動機能バージョン情報を受信する。
【００７１】
ＨＤＭＩ連動可能の度合いは、例えば３段階に分類される。つまり、制御部６５は、情報通信端末１１にリモートコントローラ１７を用いて外部機器に対して電源のオンオフが可能であればＨＤＭＩ連動Ｖｅｒ．１と識別する。また、制御部６５は、外部機器に対して電源連動および再生が可能であればＨＤＭＩ連動Ｖｅｒ．２と識別する。そして、制御部６５は、外部機器に対して電源連動、再生および録画が可能であればＨＤＭＩ連動Ｖｅｒ．３と識別する。
【００７２】
また制御部６５は、ＨＤＭＩ連動可能な外部機器であっても、情報通信端末１１と連動機能バージョン情報の送受信ができない場合は、ＨＤＭＩ連動可能とのみ識別する。
【００７３】
ここで図６は、映像表示器１４に情報通信端末１１自体の連動機能バージョン情報を表示した図である。
【００７４】
制御部６５は、リモートコントローラ１７による所定の操作の検知により映像表示器１４の表示画面の所定領域に情報通信端末１１自体の機種名、連動機能バージョン情報などを示す機器情報を不揮発性メモリ６８から読み出して表示することができる。
【００７５】
ここで、例えば、情報通信端末１１の連動機能バージョン情報がＶｅｒ．２である場合について説明する。制御部６５は、リモートコントローラ１７による所定の操作を検知すると、映像表示器１４に図７に示すＨＤＭＩ連動機器リストを不揮発性メモリ６８から読み出して所定領域に表示することができる。
【００７６】
具体的にＨＤＭＩ連動機器リストは、（機器番号、機器種別、型名、ＨＤＭＩ連動の可否およびバージョン）の順で、（２−１、ＡＶアンプ、ＤＴＸ−５．８、ＨＤＭＩ連動Ｖｅｒ．１）、（２−２、ＸＸＸ（社名）ＰＣ、ａｂｃｄ−ｅ１０、ＨＤＭＩ連動Ｖｅｒ，２）、（２−３、ＸＸＸ（社名）レコーダ、ＲＤ−Ａ６００、ＨＤＭＩ連動Ｖｅｒ．３→２）、（２−４、ＸＸＸ（社名）プレーヤ、ＨＤ−Ａ２、ＨＤＭＩ連動なし）、（２−２５、プレーヤ、型名なし、ＨＤＭＩ連動なし）、（２−２６、プレーヤ、型名なし、ＨＤＭＩ連動Ｖｅｒ．２）、（２−２７、プレーヤ、型名なし、ＨＤＭＩ）である。
【００７７】
映像表示器１４は、情報通信端末１１と外部機器との間でＨＤＭＩ連動可能である場合、ＨＤＭＩ連動と文字表示される。映像表示器１４は、情報通信端末１１と外部機器との間でＨＤＭＩ連動不可である場合、ＨＤＭＩ連動と文字表示しない。ここで、ＤＶＤレコーダ３３は、ＨＤＭＩ連動可能であり、連動機能バージョン情報がＨＤＭＩ連動Ｖｅｒ．３であるが、情報通信端末１１自体は、連動機能バージョン情報がＨＤＭＩ連動Ｖｅｒ．２である。そのため、情報通信端末１１自体の連動機能バージョン情報よりも外部機器であるＤＶＤレコーダ３３の連動機能バージョン情報が高い。したがって、情報通信端末１１とＤＶＤレコーダ３３の間では、ＨＤＭＩ連動Ｖｅｒ．２に規定されているＨＤＭＩ連動は可能であるが、ＨＤＭＩ連動Ｖｅｒ．３には規定されているがＨＤＭＩ連動Ｖｅｒ．２には規定されていないＨＤＭＩ連動は不可となる。したがって、映像表示器１４は、ＤＶＤレコーダ３３について、当該情報通信端末１１との間ではＨＤＭＩ連動Ｖｅｒ．２のＨＤＭＩ連動が可能である旨を示すために、ＨＤＭＩ連動Ｖｅｒ．３→２と表示する。
【００７８】
また、映像表示器１４は、ＤＶＤレコーダ３３の連動機能バージョン情報をＨＤＭＩ連動Ｖｅｒ．３→２と表示する代わりに、ＨＤＭＩ連動Ｖｅｒ．３と表示した状態で、他の連動機能バージョン情報の表示よりも薄い色で表示するなど、ユーザが一見してＤＶＤレコーダ３３に対してＨＤＭＩ連動Ｖｅｒ．３に規定されているＨＤＭＩ連動が不可である旨を判別できるように表示することもできる。
【００７９】
ここで、ユーザが、ＤＶＤレコーダ３３から出力される映像情報が映像表示器１４で表示されるように、ＨＤＭＩ連動機器リストから機器番号が２−３の欄を選択したとする。映像表示器１４は、ＤＶＤレコーダ３３から出力される映像情報を映像表示器１４の所定の表示領域に表示すると共に、別の領域にＤＶＤレコーダ３３についてのＨＤＭＩ情報を表示する。制御部６５が、映像情報を映像表示器１４に表示制御すると共に任意の位置にＤＶＤレコーダ３３についてのＨＤＭＩ情報を合成して表示するように制御してもよい。映像表示器１４は、図７に示すように、不揮発性メモリ６８に記録されているＨＤＭＩ入力一覧情報のうちＤＶＤレコーダ３３についてのＨＤＭＩ情報として、機器番号を２−３、機器種別をＸＸＸ（社名）レコーダ、型名をＲＤ−Ａ６００、ＨＤＭＩ連動Ｖｅｒ．３→２を表示する。
【００８０】
図８は、情報通信端末１１自体の連動機能バージョン情報がＨＤＭＩ連動Ｖｅｒ．３であり、連動機能バージョン情報のバージョン番号と連動操作可能な機能の対応関係を示した機能識別一覧を表示した映像表示器１４の表示画面である。
【００８１】
情報通信端末１１は、連動機能バージョン情報がＨＤＭＩ連動Ｖｅｒ．３であるため、情報通信端末１１とＤＶＤレコーダ３３の間では、ＨＤＭＩ連動Ｖｅｒ．３に規定されている連動操作が可能である。したがって、映像表示器１４は、ＤＶＤレコーダ３３が出力する映像情報と共に、任意の位置（図８に示すように表示画面の右上端）にＤＶＤレコーダ３３についてのＨＤＭＩ情報としてＨＤＭＩ連動Ｖｅｒ．３と表示する。また、映像表示器１４は、ＨＤＭＩ連動機器リストについてもＤＶＤレコーダ３３についてのＨＤＭＩ情報としてＨＤＭＩ連動Ｖｅｒ．３と表示する。
【００８２】
映像表示器１４は、リモートコントローラ１７による所定の操作の検知により、表示画面の所定領域に機能識別一覧情報を不揮発性メモリ６８から読み出して表示する。機能識別一覧情報は、ＨＤＭＩ連動Ｖｅｒ．１、ＨＤＭＩ連動Ｖｅｒ．２、ＨＤＭＩ連動Ｖｅｒ．３が電源連動、再生、録画のいずれの連動操作が可能であるのかを対応付けている。つまり、ユーザは、映像表示器１４に表示されたＨＤＭＩ連動バージョン番号から、外部機器に対して操作可能な機能を容易に視認することができる。
【００８３】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００８４】
【図１】本発明の第１の実施形態に係る情報通信端末及び周辺機器の構成を示すブロック図。
【図２】第１の実施形態に係る情報通信端末の内部構成を示すブロック図。
【図３】第１の実施形態における情報通信端末のリモートコントローラを説明するために示す外観図。
【図４】第１の実施の形態における情報通信端末による外部機器の特定を説明するフローチャート。
【図５】第１の実施形態における情報通信端末の映像表示器の表示画面を示す図。
【図６】第２の実施形態における情報通信端末の連動機能バージョン情報を示す表示画面を示す図。
【図７】第２の実施形態におけるＨＤＭＩ連動機器リストの表示画面を示す図。
【図８】第２の実施形態における機能識別一覧の表示画面を示す図。
【符号の説明】
【００８５】
１１…情報通信端末、１２…キャビネット、１３…支持台、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調器、５１…信号処理部、５２…アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
0004331249.tif 000002
【図２】
0004331249.tif 000003
【図３】
0004331249.tif 000004
【図４】
0004331249.tif 000005
【図５】
0004331249.tif 000006
【図６】
0004331249.tif 000007
【図７】
0004331249.tif 000008
【図８】
0004331249.tif 000009